(57)【特許請求の範囲】
【請求項１】
戸や窓などを取り付けるための枠体と該枠体が配設される框体との間に設けられ、該框体に対する前記枠体の調整を行うための枠体調整金具において、前記調整方向に進退可能に、又は該調整方向に平行な軸に対し回動可能に配設されるクサビ部材と、前記枠体の凹部に嵌着されたケース体内に配設され、前記框体に対し直接又は当該框体に固定される固定板を介して当接する拡開部材とを備え、この拡開部材は、当該拡開部材の中央部に設けられた前記クサビ部材に係合するテーパ孔若しくはスリット、又は収容穴への前記クサビ部材の進退、又は回動によって前記テーパ孔若しくはスリット、又は収容穴が押し拡げられるために前記枠体の凹部内側面方向に拡開して、当該拡開部材の側面外周部が前記ケース体を介して前記枠体の凹部内側面に押圧力を及ぼすことにより、前記框体に対する前記枠体のブレを阻止することを特徴とする枠体調整金具。
【請求項２】
前記枠体を移動させて、前記框体に対する当該枠体の調整を可能にする調整手段を備えてなることを特徴とする請求項１に記載の枠体調整金具。
【発明の詳細な説明】
【０００１】
【発明が属する技術分野】
本発明は、家屋等の建築工事に際し、戸や窓などを取り付けるための枠体を、この枠体が配設される框体に対し調整する枠体調整金具に関する。
【０００２】
【従来の技術】
家屋等の建築工事に際し、戸や窓などを設ける場合には、これら戸や窓などを取り付けるための枠体を、戸や窓などが設けられる框体に精度よく建て付けることが必要である。このための枠体調整金具として、特開平１１−７１９６６号に開示のものがある。
この躯体接合金具（枠体調整金具）１００は、図６，７に示すように、躯体（框体）１０１に対する枠体１０２の隙間調整を行うことができ、更に、躯体１０１に対する枠体１０２のブレをも修正できるようになっており、躯体１０１にタッピンねじ１０３で固定された躯体側金具１０４と、この躯体側金具１０４の主螺子棒１０５に螺合する主螺子孔１０６ａが設けられた枠体側金具１０６とで構成され、主螺子棒１０５を回動して枠体側金具１０６を進退させることにより、躯体１０１に対する枠体１０２の隙間調整を行うことができる。そして、この躯体接合金具１００では、枠体側金具１０６の脇螺子孔１０６ｂ，１０６ｃにそれぞれ螺合する脇螺子棒１０７，１０８が配設されており、躯体１０１に対する枠体１０２のブレを修正するときには、脇螺子棒１０７の一方端１０７ａ及び脇螺子棒１０８の一方端１０８ａを躯体側金具１０４の基盤１０４ａに当接させた状態で、この脇螺子棒１０７又は／及び１０８を適宜回動させればよいようになっている。
【０００３】
【発明が解決しようとする課題】
しかるに、枠体が外力を受けたときに、上記例で言えば、図７（Ｂ）中の矢印方向に移動しないように、即ち、ブレが生じないようにする必要がある。上述の金具においても、主螺子棒及び一対の脇螺子棒で保持することによって框体に対する枠体のブレが生じないようにある程度できるが、これら螺子棒による３点支持で、しかも、当該支持位置が互いに近接している態様の支持のしかたでは、上記ブレが生じないようにするための構成としては不十分である。
【０００４】
本発明の目的は、框体に対する枠体のブレ防止が確実に行える枠体調整金具を提供することにある。
【０００５】
【課題を解決するための手段】
上記課題を解決するために、本発明の請求項１に係る枠体調整金具は、戸や窓などを取り付けるための枠体とこの枠体が配設される框体との間に設けられ、框体に対する枠体の調整を行うためのもので、前記調整方向に進退可能に、又は該調整方向に平行な軸に対し回動可能に配設されるクサビ部材と、前記枠体の凹部に嵌着されたケース体内に配設され、前記框体に対し直接又は当該框体に固定される固定板を介して当接する拡開部材とを備え、この拡開部材は、当該拡開部材の中央部に設けられた前記クサビ部材に係合するテーパ孔若しくはスリット、又は収容穴への前記クサビ部材の進退、又は回動によって前記テーパ孔若しくはスリット、又は収容穴が押し拡げられるために前記枠体の凹部内側面方向に拡開して、当該拡開部材の側面外周部が前記ケース体を介して前記枠体の凹部内側面に押圧力を及ぼすことにより、前記框体に対する前記枠体のブレを阻止するようにしたものである。
【０００６】
これにより、拡開部材が、框体に対し直接又は当該框体に固定される固定板を介して当接し、クサビ部材の進退等によって拡開してケース体を介して枠体の凹部内側面に押圧力を及ぼすために、框体に対する枠体のブレ、即ち、枠体の、調整方向に対し垂直をなす平面の面ブレが確実に阻止される。
【０００７】
本発明の請求項２に係る枠体調整金具は、枠体を移動させて、框体に対する当該枠体の調整を可能にする、例えばネジ部材で構成されるような調整手段を備えてなるもので、当該調整手段により、框体に対する枠体の位置決めが簡便にできるようになる。
【０００８】
【発明の実施の形態】
本発明の第１の実施の形態に係る枠体調整金具を図１及び２を参照して説明する。
本枠体調整金具１は、戸や窓などを取り付けるための枠体２とこの枠体２が配設される框体３（図２参照）との間に設けられるものであり、クサビ部材４及び拡開部材５で構成される。このうちクサビ部材４は、所定テーパ角をなす円錐台状の頭部４ａとネジ加工された細長の脚部４ｂとで構成される。一方、拡開部材５は、略直方体形状をなし、その中央部に上記クサビ部材４の頭部４ａが係合するテーパ孔５ａ及びこのテーパ孔５ａに連設される小孔５ｂが穿設され、更に、テーパ孔５ａには、当該テーパ孔５ａの中心軸を通る、図１において縦溝のスリット５ｃが穿設されている。また、拡開部材５には、テーパ孔５ａを隔てて略等距離の位置に、スプリング６が配される有底の大孔５ｄがそれぞれ穿設され、更に、上記スリット５ｃに平行な両外側面には、その略中央部から図１において後端部に至るところに所定ピッチをなしてＶ溝５ｅが縦方向にそれぞれ設けられている。
【０００９】
ところで、本枠体調整金具１の拡開部材５は、本実施の形態では、図１に示すように、枠体２に適宜形状の凹部を設け、この凹部に嵌着されたケース体７内に配設される。即ち、ケース体７は、断面が長方形状の薄肉筒状部材７ａとこの部材７ａの一方端開口部で、その両長辺に沿って垂設されたフランジ部材７ｂとで構成され、フランジ部材７ｂの挿通孔に配されるビス８によって枠体２の凹部に嵌着される。そして、拡開部材５は、このようなケース体７の部材７ａ内に配設され、一方端が枠体２に着座するとともに他方端が当該拡開部材５の大孔５ｄに着座する上記スプリング６によって、枠体２とは互いに離隔する方向に付勢される。
ところで、ケース体７の、枠体２の凹部への嵌着は、圧入方法を採っても良い。尚、７ｃは、拡開部材５の抜け防止のためのストッパである。
【００１０】
このような拡開部材５は、枠体２の貫通孔２ａから挿入される上記クサビ部材４によって、その頭部４ａに係合するテーパ孔５ａが押し拡げられるために拡開する一方、固定手段を兼ねる当該クサビ部材４によって、その脚部４ｂが小孔５ｂを挿通して框体３のネジ孔に螺着され、框体３に当接状態をなした状態で固定される（図２参照）。
ところで、上記薄肉筒状部材７ａの一方端開口部付近で、その両短辺に沿う部位には、上記Ｖ溝５ｅに係合する逆Ｖ字状の突条７ｄが形成されており、これにより、框体３に対する枠体２の調整の際には、スプリング６により付勢された拡開部材５を係止させつつ調整ができるようになるため調整がし易くなり、また、枠体２に対する拡開部材５の固定の際には、拡開部材５の拡開に基づく当該拡開部材５と枠体２との結合をより確実にすることができるようになるため、框体３に対する枠体２のブレ防止がより確実になる。
【００１１】
本枠体調整金具１による枠体２の調整のしかた及び框体３に対する枠体２のブレ防止を図２を参照して説明する。但し、図２（Ａ），（Ｂ）ともに、上記調整が完了して框体３に対する枠体２の固定がなされたところを表している。
枠体２を框体３に配設する際には、本枠体調整金具１は、既に枠体２内に組み込まれており、スプリング６により付勢された拡開部材５が、そのＶ溝５ｅの任意の位置で突条７ｄに係合している。このとき、クサビ部材４を框体３にある程度ねじ込むとともに、その頭部４ａをテーパ孔５ａに係合させておくと、以後の作業がし易くなって好ましい。
【００１２】
まず、図２（Ａ）では、枠体２を框体３に配設した際、框体３に対する枠体２の隙間Ａ1の調整を行う。この調整は、クサビ部材４を同図中の矢印方向（調整方向）に進退させながら、拡開部材５を、当該拡開部材５のＶ溝５ｅで突条７ｄに係合させて隙間Ａ1を確認しつつ同方向に手動で進退させて行う。また、拡開部材５を框体３に当接させた状態にして枠体２を矢印方向に進退させながら、上記突条７ｄを拡開部材５のＶ溝５ｅに係合させて隙間Ａ1を確認しつつ行ってもよく、調整の際には、クサビ部材４を進退させるには及ばない。
このようにして調整が完了した後、クサビ部材４を、その頭部４ａに刻設された十字溝にドライバなどの工具を差込み、框体３のネジ孔にねじ込んで行く。すると、頭部４ａがテーパ孔５ａを押し拡げるとともに、拡開部材５が框体３に当接した状態でねじ込みが完了して、拡開部材５は、框体３に固定される。一方、当該拡開部材５は、そのテーパ孔５ａが押し拡げられるために拡開して当該拡開部材５の側面外周部５ｆがケース体７を介して枠体２に大きな押圧力を及ぼし、かかる押圧力に基づき同図中の矢印Ｐ１，Ｐ２方向の動きを阻止する力が作用するとともに、突条７ｄとＶ溝５ｅとの係合によって拡開部材５と枠体２との結合をより確実にすることができるようになるため、框体３に対する枠体２のブレ防止がより確実になる。
【００１３】
また、図２（Ｂ）のように、枠体２が框体３に当接して隙間Ａ2が無い状態で上記調整が完了する場合もある。この場合においても、拡開部材５が拡開して当該拡開部材５の側面外周部５ｆがケース体７を介して枠体２に大きな押圧力を及ぼし、かかる押圧力に基づき同図中の矢印Ｐ１，Ｐ２方向の動きを阻止する力が作用するために、框体３に対する枠体２のブレ防止が確実になる。尚、突条７ｄとＶ溝５ｅとの係合は、枠体２が框体３に当接しているために、専ら枠体２の、框体３からの離別方向の動きを阻止するためのものとなる。
【００１４】
次に、本発明の第２の実施の形態に係る枠体調整金具を図３を参照して説明する。尚、図３において、図１及び２の構成部材と同一の部材には同一番号を付し、その説明は割愛する。
本枠体調整金具１０が上記枠体調整金具１と異なるところは、枠体調整金具１のクサビ部材４をカム部材１１及び固定ビス１２に置き換えた点にあり、これに伴なって、拡開部材５の代わりに拡開部材１３が用いられ、また、枠体２には、固定ビス１２を挿通させるための貫通孔２ｂの直上に、ドライバなどの工具を差し込んでカム部材１１を回動操作するための小孔２ｃが設けられている。
【００１５】
上記カム部材１１は、楕円柱状の頭部１１ａと円柱状の脚部１１ｂとで構成される。一方、固定ビス１２は、半球上の頭部１２ａとネジ加工された細長の脚部１２ｂとで構成される。これに対し、拡開部材１３には、スリット５ｃの位置に上記カム部材１１を緩嵌する収容穴１４が設けられ、この収容穴１４は、当該カム部材１１の中心軸が調整方向（同図中の矢印方向）に平行をなして緩嵌されるように設けられている一方、この収容穴１４の直下に、上記固定ビス１２の頭部１２ａが挿通可能な程度の大径孔１５及びこの大径孔１５に連設されて固定ビス１２の脚部１２ｂが挿通可能な程度の小径孔（図示せず）が設けられている。
尚、収容穴１４の、カム部材１１の頭部形状が緩嵌される楕円柱状穴は、この楕円の長軸がスリット５ｃの割目に重なるように設けられている。
【００１６】
このような構成に係る枠体調整金具１０においては、最初に拡開部材１３を框体（図示せず）に固定ビス１２で固定してから、枠体２を矢印方向に進退させながら上記調整を行ってもよい。しかる後に、カム部材１１を、その頭部１１ａに刻設された十字溝にドライバなどの工具を差込み、適宜方向に９０度回転させると、頭部１１ａが収容穴１４の当該頭部１１ａに係合する楕円柱状穴を押し拡げるため、拡開部材５が拡開して当該拡開部材５の側面外周部５ｆがケース体７を介して枠体２に大きな押圧力を及ぼすとともに、上述のように突条７ｄとＶ溝５ｅとの係合と相俟って、框体３に対する枠体２のブレ防止がより確実になる。
また、本枠体調整金具１０においては、最初に、例えば拡開部材１３を框体に当接させた状態にして枠体２を矢印方向に進退させながら上記調整を行い、しかる後、上述同様にカム部材１１を適宜方向に９０度回転させることにより拡開部材１３を拡開させ、それから、当該拡開部材１３を框体に固定ビス１２で固定するようにしてもよい。尚、事情に応じていずれのやり方を選択してもよい。
【００１７】
次に、本発明の第３の実施の形態に係る枠体調整金具２０を図４及び５を参照して説明する。但し、図４及び５において、図１〜３の構成部材と同一の部材には同一番号を付し、その説明は割愛する。
本枠体調整金具２０、図４及び５に示すように、上記枠体調整金具１，１０とは形状の異なるクサビ部材２１及び拡開部材２２で構成される。このうち、クサビ部材２１は、断面が略扇状の柱状部材であり、その両側面２１ａにはテーパ加工が施され、扇状断面の略中央にネジ孔２１ｂが螺刻されている。一方、拡開部材２２は、小孔２２ａが穿設された円柱状部材の一部に上記小孔２２ａに開口するスリット２２ｂが形成された形状をなし、当該スリット２２ｂには上記クサビ部材２１の側面２１ａに係合するテーパ面が形成されている。そして、この拡開部材２２には、上記スリット２２ｂとは小孔２２ａに関し反対側の部位に、一方端面２２ｃから所定深さで、且つ、開口窓を有する略断面Ｃ状の長大径孔２２ｄが設けられ、更に、この長大径孔２２ｄに連設され、且つ、他方端面２２ｅに貫通する態様で段付き短小径孔２２ｆが設けられている（図５参照）。
【００１８】
本枠体調整金具２０の拡開部材２２もまた、枠体調整金具１，１０と同様に、枠体２に適宜形状の凹部を設け、この凹部に取り付けられるケース体２３内に配設される。即ち、ケース体２３は、その最下端内周面に軸受２４が固着された円筒部材２３ａとこの円筒部材２３ａの一方端外周に垂設されたフランジ部材２３ｂとで構成され、フランジ部材２３ｂの挿通孔に配されるビス（図示せず）によって枠体２の凹部に取り付けられる。そして、上記拡開部材２２は、その長大径孔２２ｄ内にその開口窓を介して上記軸受２４が緩嵌される態様で、ケース体２３内に配設される一方、この拡開部材２２には、そのスリット２２ｂにクサビ部材２１が挿入される。更に、クサビ部材２１には、そのネジ孔２１ｂにクサビボルト２５のネジ部２５ａが螺合するようになっている。
尚、ケース体２３の、枠体２の凹部への嵌着は、圧入方法を採っても良い。
【００１９】
ところで、本枠体調整金具２０には、上記調整を可能にする調整ボルト（調整手段）２６が備えられており、この調整ボルト２６は、円板状の鍔２６ａを隔てて一方側にはネジ加工された細長い円柱状部２６ｂと他方側には細短い円柱状部２６ｃとで構成されている。この調整ボルト２６の円柱状部２６ｂが上記軸受２４に螺刻されたネジ孔２４ａに螺合する一方、この鍔２６ａ及び円柱状部２６ｃが拡開部材２２の段付き短小径孔２２ｆに支持される態様で配設される。
【００２０】
また、本枠体調整金具２０には、拡開部材２２の端面２２ｅ側に配設される薄円板状の固定板２７が備えられており、この固定板２７は、枠体２の貫通孔２ｄ及び拡開部材２２の小孔２２ａを挿通して配されるビス２８によって框体３に固定される。しかるに、この固定板２７には、上記ビス２８が挿通される貫通孔２７ａを隔てて皿状穴２７ｂ，２７ｃがそれぞれ穿設されており、この皿状穴２７ｂに挿入された、クサビボルト２５のネジ部２５ａの皿状頭部が当該皿状穴２７ｂに当該クサビボルト２５を回動可能にして埋設され、また、皿状穴２７ｃに挿入された、調整ボルト２６の円柱状部２６ｃの先端が当該皿状穴２７ｃに埋設される態様で、調整ボルト２６が回動可能な程度にカシメられている。したがって、クサビボルト２５を回動させると、クサビ部材２１が同図中の矢印方向に進退し、調整ボルト２６を回動させると、枠体２が調整方向（同図中の矢印方向）に進退することになる。
【００２１】
本枠体調整金具２０による枠体２の調整のしかた及び框体３に対する枠体２のブレ防止を図４，５を参照して説明する。但し、図５（Ａ），（Ｂ）ともに、上記調整が完了して框体３に対する枠体２の固定がなされたところを表している。枠体２を框体３に配設する際には、本枠体調整金具２０は、既に枠体２内に組み込まれている。しかるに、上記調整に際しては、最初に固定板２７をビス２８で固定してから行うと、作業がし易くなって好ましい。但し、固定板２７をビス２８で固定せずに始めてもよいことはもちろんである。以下では、最初に固定板２７をビス２８で固定してから行うやり方で説明する。
【００２２】
まず、図５（Ａ）では、固定板２７をビス２８で固定してから、框体３に対する枠体２の隙間Ｂ1の調整を行う。この調整においては、調整ボルト２６の円柱状部２６ｂ端面に刻設された十字溝にドライバなどの工具を枠体２の貫通孔２ｅを介して差込み、当該調整ボルト２６を回動して枠体２を同図中の矢印方向（調整方向）に進退させながら、隙間Ｂ1を確認しつつ行う。このようにして調整が完了した後、クサビボルト２５のネジ部２５ａ端面に刻設された十字溝にドライバなどの工具を枠体２の貫通孔２ｆを介して差込み、当該クサビボルト２５を回転させてクサビ部材２１を同図中の矢印Ｒ方向に移動させる。すると、拡開部材２２のスリット２２ｂがクサビ部材２１によって押し拡げられるために拡開部材２２が拡開して、その側面外周部２２ｇがケース体２３を介して枠体２に大きな押圧力を及ぼし、かかる押圧力に基づき枠体２に図４中の矢印Ｑ１，Ｑ２方向の動きを阻止する力が作用するために、框体３に対する枠体２のブレ防止が確実になる。
【００２３】
また、図２（Ｂ）のように、枠体２が框体３に当接して隙間Ｂ２の状態で上記調整が完了する場合もある。この場合においても、拡開部材２２が拡開して当該拡開部材２２の側面外周部２２ｇがケース体２３を介して枠体２に大きな押圧力を及ぼし、かかる押圧力に基づき枠体２に図４中の矢印Ｑ１，Ｑ２方向の動きを阻止する力が作用するために、框体３に対する枠体２のブレ防止が確実になる。
【００２４】
【発明の効果】
本発明の枠体調整金具によれば、従来のような枠体の中心部付近での支持ではないので、框体に対する枠体のブレ防止が確実に行える。
【図面の簡単な説明】
【図１】  第１の実施の形態に係る枠体調整金具の分解斜視図である。
【図２】  図１の枠体調整金具を用いた調整の説明をするための平面断面図である。
【図３】  第２の実施の形態に係る枠体調整金具の分解斜視図である。
【図４】  第３の実施の形態に係る枠体調整金具の分解斜視図である。
【図５】  図３の枠体調整金具を用いた調整の説明を説明するための側断面図である。
【図６】  従来の枠体調整金具の分解斜視図である。
【図７】  図６の枠体調整金具を用いた調整の説明図である。
【符号の説明】
１，１０，２０        枠体調整金具
２                    枠体
３                    框体
４，２１，            クサビ部材
５，１３，２２        拡開部材
１１                  カム部材（クサビ部材）
１２                  固定ビス（固定手段）
２５                  クサビボルト（クサビ部材）
２６                  調整ボルト（調整手段）
【図１】
0003728207.tif 000002
【図２】
0003728207.tif 000003
【図３】
0003728207.tif 000004
【図４】
0003728207.tif 000005
【図５】
0003728207.tif 000006
【図６】
0003728207.tif 000007
【図７】
0003728207.tif 000008